(57)【要約】【課題】様々な機器に用いられる蓄電池パックに内蔵される二次電池の劣化を抑制する。【解決手段】  蓄電池パックから蓄電池パックを用いる電気機器に対して実行した放電の履歴を取得し、当該履歴に応じて蓄電池パックの充電を実行する。充電間の放電量が少ない場合には、充電電圧を低下させ、充電後の放電が充電を行ってから所定期間低下してから行われる場合には、充電電流を低下させることで、蓄電池パックに内蔵される二次電池の劣化を抑制する。また、蓄電池パックは、蓄電池パックを用いる電気機器に応じた充電を実行することでも、蓄電池パックに内蔵される二次電池の劣化を抑制する。【選択図】図５
2014193081.tif 000002
【特許請求の範囲】
【請求項１】
二次電池と、
前記二次電池の充電または放電の態様に応じて、前記二次電池を充電または放電する制御手段と
を備えることを特徴とする蓄電池パック。
【請求項２】
前記蓄電池パックは、更に、
前記二次電池の充電と放電の履歴を示す充放電履歴を記憶する記憶手段を備え、
前記制御手段は、前記放電の態様を示す前記充放電履歴を用いて前記二次電池に対する充電を制御する
ことを特徴とする請求項１記載の蓄電池パック。
【請求項３】
前記充放電履歴が、繰り返し充放電が実行されていることを示している場合であって、充電と充電の間の放電による放電量が所定値以下である放電状態が、所定回数連続していることを示すときには、前記制御手段は、充電電圧を低下させて前記二次電池を充電する
ことを特徴とする請求項２記載の蓄電池パック。
【請求項４】
前記充放電履歴が、繰り返し充放電が実行されていることを示している場合であって、充電と充電の間の最初の放電が、先の充電が終了してから所定時間以上経過してから実行される放電状態が、所定回数以上連続していることを示すときには、前記制御部は、充電時間を長くして前記二次電池を充電する
ことを特徴とする請求項２または３記載の蓄電池パック。
【請求項５】
前記制御手段は、充電電流値を低下させることで、前記二次電池の充電時間を長くする
ことを特徴とする請求項４記載の蓄電池パック。
【請求項６】
前記制御手段は、前記充電と充電の間の放電の放電量が所定値以上の場合にのみ、充電時間を長くして前記二次電池を充電する
ことを特徴とする請求項４または５記載の蓄電池パック。
【請求項７】
前記制御手段は、前記充電と充電の間の放電の放電量が所定値以下の場合には、前記二次電池の活性化を行うように制御する
ことを特徴とする請求項４〜６のいずれか１項に記載の蓄電池パック。
【請求項８】
前記蓄電池パックは、更に、
前記蓄電池パックに接続された機器を検出する検出手段と、
前記蓄電池パックに接続される機器ごとの充電情報を記憶する記憶手段とを備え、
前記制御手段は、前記検出手段が検出した前記接続された機器に対応する充電情報を前記記憶手段から読み出し、当該充電情報を用いて前記二次電池を充電する
ことを特徴とする請求項１記載の蓄電池パック。
【請求項９】
前記蓄電池パックに接続される機器は、前記蓄電池パックを外部機器に接続するための接続部材であり、
前記蓄電池パックは、更に、
前記接続部材を取り付けるための取付手段を備え、
前記検出手段は、前記取付手段に取り付けられた接続部材を検出する
ことを特徴とする請求項８記載の蓄電池パック。
【請求項１０】
前記蓄電池パックは、更に、
前記接続された機器と通信を実行する通信手段を備え、
前記検出手段は、前記通信手段が前記接続された機器と通信を実行することにより、前記接続された機器を検出する
ことを特徴とする請求項８記載の蓄電池パック。
【請求項１１】
前記充電情報は、接続される機器を識別するための識別情報と、前記接続される機器ごとの充電方法とを対応付けた情報であり、
前記検出手段は、前記接続された機器の前記識別情報を検出し、
前記制御手段は、前記検出手段が検出した前記識別情報に対応する充電方法を用いて前記二次電池を充電する
ことを特徴とする請求項８〜１０のいずれか１項に記載の蓄電池パック。
【請求項１２】
前記充電情報は、接続される機器を識別するための識別情報と、前記接続される機器ごとの充放電履歴とを対応付けた情報であり、
前記検出手段は、前記接続される機器の前記識別情報を検出し、
前記制御手段は、前記検出手段が検出した前記識別情報に対応する充放電履歴を用いて前記二次電池を充電する
ことを特徴とする請求項８〜１０のいずれか１項に記載の蓄電池パック。
【請求項１３】
前記蓄電池パックは、更に、
前記蓄電池パックに接続された機器を検出する検出手段と、
前記蓄電池パックに接続される機器ごとの放電情報を記憶する記憶手段とを備え、
前記制御手段は、前記検出手段が検出した前記接続された機器に対応する放電情報を前記記憶手段から読み出し、当該放電情報を用いて前記二次電池を放電する
ことを特徴とする請求項１記載の蓄電池パック。
【請求項１４】
前記蓄電池パックに接続される機器は、前記蓄電池パックを外部機器に接続するための接続部材であり、
前記蓄電池パックは、更に、
前記接続部材を取り付けるための取付手段を備え、
前記検出手段は、前記取付手段に取り付けられた接続部材を検出する
ことを特徴とする請求項１３記載の蓄電池パック。
【請求項１５】
前記蓄電池パックは、更に、
前記接続された機器と通信を実行する通信手段を備え、
前記検出手段は、前記通信手段が前記接続された機器と通信を実行することにより、前記接続された機器を検出する
ことを特徴とする請求項１３記載の蓄電池パック。
【請求項１６】
前記蓄電池パックは、更に、
前記接続された機器から当該機器が所望する電力を示す電力要求を受け付ける要求受付手段を備え、
前記制御手段は、前記放電情報を用いた放電の代わりに、前記電力要求で示される電力よりも低い電力で、前記二次電池を放電する
ことを特徴とする請求項１３〜１５のいずれか１項に記載の電池パック。
【請求項１７】
前記検出手段は、前記接続される機器の識別情報を取得して接続される機器の検出を行うものであり、
前記蓄電池パックは、更に、
前記識別情報を用いて前記接続される機器を認証する認証手段を備え、
前記制御手段は、前記認証手段が前記接続される機器の認証に成功した場合に限り、前記二次電池を充電または放電する
ことを特徴とする請求項８または１３記載の蓄電池パック。
【請求項１８】
二次電池と、前記二次電池の充電または放電の態様に応じて、前記二次電池を充電または放電する制御手段とを備える蓄電池パックと、
当該蓄電池パックから電力の供給を受けて動作する
ことを特徴とする電気機器。
【請求項１９】
二次電池を備えた蓄電池パックにおける二次電池の充電方法であって、
前記二次電池の充電または放電の態様を特定する特定ステップと、
前記放電の態様に応じて前記二次電池を充電または放電する制御ステップと
を含むことを特徴とする充電方法。
【発明の詳細な説明】
【技術分野】
【０００１】
本発明は蓄電池パックに関する。
【背景技術】
【０００２】
蓄電池パックは、様々な用途で使用される。蓄電池の用途としては、例えば、電動自転車、家屋用の非常時用の電源や、停電時のＰＣ用の無停電電源装置などがある。このような蓄電池パックは、それぞれ特定の用途での使用を想定して製造されるものであり、リチウムイオン電池などの二次電池を内蔵する。
特許文献１には、そのような蓄電池パックとして、電動自転車に用いる例が開示されている。
【先行技術文献】
【特許文献】
【０００３】
【特許文献１】特開２０１２−２５０５５２号公報
【発明の概要】
【発明が解決しようとする課題】
【０００４】
このような蓄電池パックにあっては、内蔵されている二次電池の寿命に制限がある。当然ながら、蓄電池パックは長く使用できるに越したことはなく、二次電池の劣化が遅いものであることが望ましいことは言うまでもない。
二次電池の劣化の進行度合いは、主としてその運用方法によって定まる。しかしながら、蓄電池パックを利用するユーザにあっては往々にして蓄電池パックの適切な運用方法を認識しておらず、誤った運用によって二次電池の劣化を著しく進行してしまう可能性がある。
【０００５】
そこで、本発明は、上記問題に鑑みてなされたものであり、ユーザ自身が蓄電池パックの適切な使用方法を知らずとも、蓄電池パックに内蔵されている二次電池の劣化を抑制することができる蓄電池パックを提供することを目的とする。
【課題を解決するための手段】
【０００６】
上記課題を解決するため、本発明に係る蓄電池パックは、二次電池と、前記二次電池の充電または放電の態様に応じて、前記二次電池を充電または放電する制御手段とを備えることを特徴としている。
【発明の効果】
【０００７】
上述のような構成によって、蓄電池パックは、蓄電池パックが実行することになる充電または放電の態様によって、充電または放電を制御するので、二次電池の劣化を抑制することができる。
【図面の簡単な説明】
【０００８】
【図１】実施の形態１に係る蓄電池パックの外観図である。
【図２】実施の形態１に係る蓄電池パックの機能構成を示す機能ブロック図である。
【図３】充放電履歴情報のデータ構成を示す概念図である。
【図４】実施の形態１に係る蓄電池パックの動作を示すフローチャートである。
【図５】充放電の履歴の一例である。
【図６】充放電の履歴の一例である。
【図７】実施の形態２に係る蓄電池パックの外観図である。
【図８】実施の形態２に係る蓄電池パックの一利用形態を示す図である。
【図９】実施の形態２に係る蓄電池パックの機能構成を示す機能ブロック図である。
【図１０】（ａ）はアタッチメント情報のデータ構成を示す概念図である。（ｂ）は、機器情報のデータ構成を示す概念図である。
【図１１】実施の形態２に係る蓄電池パックの動作を示すフローチャートである。
【発明を実施するための形態】
【０００９】
＜発明者らが得た知見＞
近年、電動自転車、電気自転車など様々な電気機器で、蓄電池パックが利用されている。そのような蓄電池パックは、設計のしやすさや必要とする電力に応じた安全設計などを考慮して各電気機器専用に作成される。
上述の通り、各機器で使用する蓄電池パックの運用方法、充電の仕方、放電の仕方や、それぞれの実行タイミングなどによって、蓄電池パックを長く運用することができるか否かが決定する。
【００１０】
発明者らは、電動自転車や電気自動車などに限らず、このような蓄電池パックは、様々な電気機器で利用されることになると考えた。そして、そのような場合には、その様々な電気機器で、同じ蓄電池パックを共用できるように、蓄電池パックの汎用化が有りえることに想到した。
しかし、電気機器は、それぞれで必要とする電力が異なる（必要な電圧値、電流値、容量が異なる）ため、より適切な運用を行わなければ、各電気機器に専用で蓄電池パックを製造する場合よりも、蓄電池パック内蔵の二次電池の劣化は著しいものになることを知見した。
【００１１】
そこで、発明者らは、どのような電気機器に用いられても、また、同じ電気機器で用いられるにしても、蓄電池パックが自身で、より適切に運用されるよう充電や放電を制御することで、二次電池の劣化を抑制する手法に想到した。
以下、そのような蓄電池パックの詳細について説明する。
＜実施の形態１＞
＜構成＞
図１は、本実施の形態１に係る蓄電池パック１００の外観を示す斜視図である。図１に示すように、蓄電池パック１００は、蓄電池パックを起動したり停止させたりするためのスイッチ１０１や、電池残量やエラーの発生などをユーザに通知するための表示部１０２と、電力の受給および供給に用いる端子部１１０とを備える。
【００１２】
図２は、蓄電池パック１００の機能構成を示す機能ブロック図である。図２に示すように、蓄電池パック１００は、スイッチ１０１と、表示部１０２と、記憶部１０３と、通信部１０５と、充電回路１０６と、蓄電池１０７と、放電回路１０８と、制御部１０９と、端子部１１０とから構成される。
スイッチ１０１は、ユーザからの、蓄電池パック１００の起動、停止に係る入力を受け付ける機能を有する。蓄電池パック１００は、蓄電池パック１００が起動していないタイミングで、ユーザによる押下を受け付けて起動し、起動している状態でユーザによる押下を受け付けて停止する。
【００１３】
表示部１０２は、制御部１０９からの指示に従って、蓄電池１０７の電池残量を表示する機能を有するインジケータである。図１に示すように表示部１０２は、５つのインジケータ１０２ａ〜１０２ｅからなり、各インジケータには１つのＬＥＤランプが対応し、表示部１０２は、これらのＬＥＤランプの点灯、非点灯により、電池残量および蓄電池パックの状態を表示する。表示部１０２は、制御部１０９からの指示に従って、蓄電池パックの状態、例えば、エラーの発生などを表示部１０２の点灯のさせ方でユーザに通知する機能を有する。
【００１４】
記憶部１０３は、蓄電池パック１００が動作する上で必要とするプログラムやデータを記憶する機能を有する。また、記憶部１０３は、蓄電池パック１００が実行した充電および放電に関する履歴である充放電履歴情報３００を記憶する機能を有する。充放電履歴情報３００の詳細については、後述する。
通信部１０５は、端子部１１０を介して、端子部１１０が接続された機器と通信を実行する機能を有する。通信部１０５は、端子部１１０を介して受信した信号を復号して制御部１０９に伝達し、制御部１０９から伝達された信号を符号化して、端子部１１０を介して接続された機器に送信する。
【００１５】
充電回路１０６は、制御部１０９から指定された充電方法で蓄電池１０７を充電する機能を有する。ここで、充電方法とは、具体的に充電電圧値や充電電流値を直接指定するものであってもよいし、充電電圧を０．５Ｖ低下させろというような指示であってもよい。具体的には、充電回路１０６は、端子部１１０を介して、電力の供給を受け付けて、制御部１０９から指定された充電電圧、充電電流、充電時間で蓄電池１０７を充電する。充電回路１０６は、充電を実行するごとに、その時の充電開始時刻、充電終了時刻、充電電圧値、充電電流値、電池温度などを制御部１０９に通知する。
【００１６】
蓄電池１０７は、充電回路１０６により充電され、放電回路１０８により放電を実行する二次電池であり、例えば、リチウムイオン電池などである。
放電回路１０８は、制御部１０９からの指示された放電方法で蓄電池１０７からの放電を実行する機能を有する。ここで、放電方法とは、具体的に放電電圧値や放電電流値を直接指定する者であってもよいし、放電電圧を０．５Ｖ低下させろというような指示であってもよい。放電回路１０８は、蓄電池１０７から電力の供給を受けて、制御部１０９から指定された電圧値および電流値の電力を、端子部１１０を介して、出力する。放電回路１０８は、放電を実行するごとに、その時の放電開始時刻、放電終了時刻、放電電圧値、放電電流値、電池温度などを制御部１０９に通知する。
【００１７】
制御部１０９は、蓄電池パック１００の各部を制御する機能を有する。
制御部１０９は、蓄電池パック１００が起動していない状態で、スイッチ１０１から押下検出の通知を受け付けた場合に、蓄電池パック１００の各部を起動し、蓄電池パック１００が起動している状態で、スイッチ１０１から押下検出の通知を受け付けた場合に、蓄電池パック１００の各部を停止させる。
【００１８】
制御部１０９は、蓄電池１０７の電池残量を逐次検出し、電池残量に応じて表示部１０２の各ＬＥＤランプを点灯させる。また、スイッチ１０１から押下検出の通知を受けた場合に、制御部１０９は、表示部１０２の各ＬＥＤランプを点灯させてもよい。制御部１０９は、蓄電池１０７の電池残量が２割未満の場合に、インジケータ１０２ｅのみを点灯させ、蓄電池１０７の電池残量が２割以上４割未満の場合に、インジケータ１０２ｄ、１０２ｅを点灯させ、蓄電池１０７の電池残量が４割以上６割未満の場合に、インジケータ１０２ｃ、１０２ｄ、１０２ｅを点灯させ、蓄電池１０７の電池残量が６割以上８割未満の場合に、インジケータ１０２ａを除く全てのＬＥＤランプを点灯させ、蓄電池１０７の電池残量が８割以上の場合に、全てのＬＥＤランプを点灯させる。また、何らかのエラーが発生した場合には、そのエラーに応じた表示部１０２の点灯を実行する。例えば、ＳＯＨ（State Of Health）に異常をきたしている場合には、表示部１０２は、インジケータ１０２ａ、１０２ｃ、１０２ｅを点灯させる。
【００１９】
制御部１０９は、充電回路１０６が蓄電池１０７への充電を実行するごとに、あるいは、放電回路１０８が蓄電池１０７からの放電を実行するごとに、記憶部１０３が記憶する充放電履歴情報３００を更新する。
制御部１０９は、充電回路１０６に対して、実行する充電の充電電圧値および充電電流値を設定する機能を有する。また、制御部１０９は、放電回路１０８に対して、実行する放電の放電容量を設定する機能を有する。
【００２０】
具体的には、制御部１０９は、充放電履歴情報３００を参照して、逐次、予め想定される特定の充放電パターンが発生していないか否かを検出する機能を有し、特定の充放電パターンを検出した場合に、充電電圧値や充電電流値の設定値を充電回路１０６に指示する機能も有する。
特定の充放電パターンの内容と、そのパターンに対して実行する充電の充電電圧値、充電電流値の組み合わせは、予め記憶部１０３または制御部１０９のＲＡＭに記憶しているものとする。
【００２１】
具体的には、制御部１０９は、第１の特定の充放電パターンとして、充電が行われた後の、次の充電までに行われる放電による放電容量が所定値以下であることが、所定回数以上連続する場合に、制御部１０９は、充電電圧の設定値を一定値だけ下げるように充電回路１０６に設定する。これは、放電容量が少ないということから、充電後の蓄電池１０７の容量を高くする必要がないと判断できるためである。ただし、充電電圧は、予め定めた下限設定値以下には設定できないようになっており、充電電圧の設定値を下げる処理により当該設定値が下限設定値以下になる場合には、充電電圧は下限設定値に設定される。
【００２２】
制御部１０９は、第２の特定の充放電パターンとして、充電が行われた後の、次の充電までに行われる放電について、当該放電が、充電が行われてから一定以上の時間が経過してから開始されることが、所定回数以上連続する場合に、制御部１０９は、充電電流の設定値を一定値だけ下げるように充電回路１０６に設定する。充電電流を下げると所望の充電電圧に達するまでの時間が長くなり、結果として充電電流値を下げる前よりも、充電時間が長くなるものの、充電後に一定以上の時間が経過してからしか放電が行われないような場合には、なんら問題はない。また、蓄電池１０７が高い充電電圧に晒される期間自体は短くなるため、その分だけ蓄電池１０７の寿命の減りを抑制することができる。
【００２３】
端子部１１０は、蓄電池パック１００を当該端子部１１０に対向する端子を備えたフレーム装置に設置したときに、電力の供給、受給に用いられる端子である。
＜データ＞
図３は、充放電履歴情報３００のデータ構成を示す概念図である。図３に示すように、充放電履歴情報３００は、実行処理３０１と、実行開始時間３０２と、実行終了時間３０３と、実行後容量３０４と、充電電圧３０５と、充電電流３０６と、放電電圧３０７と、放電電流３０８と、電池温度３０９とが対応付けられた情報であり、充電回路１０６による蓄電池１０７への充電、および、放電回路１０８による蓄電池１０７からの放電の履歴を示す情報である。
【００２４】
実行処理３０１は、蓄電池１０７に対して実行された処理内容を示すものであり、「充電」もしくは「放電」のことである。図３では、分かり易くするために「充電」、「放電」と記載しているが、実際には、「１」、「０」で管理される。
実行開始時間３０２は、実行処理３０１で示される処理が開始した時刻を示す情報である。
【００２５】
実行終了時間３０３は、実行処理３０１で示される処理が終了した時刻を示す情報である。
実行後容量３０４は、実行処理３０１で示される処理を終了した後の蓄電池１０７の電池容量を示す情報である。
充電電圧３０５は、実行した処理が充電である場合の、充電時の充電電圧値を示す情報である。実行処理３０１が「放電」の場合には、充電電圧３０５は空欄になる。図５においては、「‐」を記載している。
【００２６】
充電電流３０６は、実行した処理が充電である場合の、充電時の充電電流値を示す情報である。実行処理３０１が「放電」の場合には、充電電流３０６は空欄になる。図５においては、「‐」を記載している。
放電電圧３０７は、実行した処理が放電である場合の、放電時の放電電圧値を示す情報である。実行処理３０１が「充電」の場合には、放電電圧３０７は空欄になる。図５においては、「‐」を記載している。
【００２７】
放電電流３０８は、実行した処理が放電である場合の、放電時の放電電流値を示す情報である。実行処理３０１が「充電」の場合には、放電電流３０８は空欄になる。図５においては、「‐」を記載している。
電池温度３０９は、放電または充電を実行した際の蓄電池パック１０７の温度を示している。図２には図示していないが、蓄電池パック１００は、蓄電池１０７の異常発熱などのエラーを検出するために蓄電池１０７近傍に温度計を備えており、制御部１０８は、充電時ないしは放電時にこの温度計が計測している温度を取得して、充放電履歴情報３００に記憶する。
【００２８】
充電の履歴は、充電回路１０６による充電が実行されるごとに、放電の履歴は、放電回路１０８による放電が実行されるごとに、制御部１０９により充放電履歴情報３００に追加される。
図３の充放電履歴情報３００によれば、例えば、２０１２年８月６日の１４時から１５時１１分３０秒まで、放電電圧Ｖｏ２、放電電流Ｉｏ２で放電が実行され、放電後の蓄電池１０７の電圧がＶｆ２になったことがわかる。また、この放電を行った際の蓄電池１０７の電池温度は、ＢＴ２であったことがわかる。また、このとき、放電容量は放電時間（実行開始時間３０２から実行終了時間３０３までの時間）と放電電流との値から求めることができる。
＜動作＞
図４は、蓄電池パック１００の制御部１０９による充電の制御に係る動作を示すフローチャートである。なお、充電回路１０６および放電回路１０８には、それぞれ、充電および放電を実行する際の電圧値などについては予め定めた初期値が設定されている。
【００２９】
制御部１０９は、充電が実行されたか否かを、充電回路１０６からの充電の実行履歴の通知を受け付けたか否かで判断する（ステップＳ４０１）。
充電回路１０６から充電の実行履歴の通知を受け付けた場合に（ステップＳ４０１のＹＥＳ）、制御部１０９は、当該通知の実行開始時間、実行終了時間、充電電圧値、充電電流値を読み出して、充放電履歴情報３００の、実行処理３０１に「充電」を追加し、それに対応させて読み出した情報を対応する箇所に追加して、充放電履歴情報３００を更新する（ステップＳ４０２）。
【００３０】
制御部１０９は、放電が実行されたか否かを、放電回路１０８からの放電の実行履歴の通知を受け付けたか否かで判断する（ステップＳ４０３）。
放電回路１０８から放電の実行履歴の通知を受け付けた場合に（ステップＳ４０３のＹＥＳ）、制御部１０９は、当該通知の実行開始時間、実行終了時間、放電電圧値を読み出して、充放電履歴情報３００の、実行処理３０１に「放電」を追加し、それに対応させて読み出した情報を対応する箇所に追加して、充放電履歴情報３００を更新する（ステップＳ４０４）。
【００３１】
制御部１０９は、定期的に充放電履歴情報３００を参照し、参照したタイミングから一定時間内の過去までに、予め定められた特定の充放電パターンがあるか否かを検出する（ステップＳ４０５）。
特定の充放電パターンを検出した場合に（ステップＳ４０５のＹＥＳ）、制御部１０９は、その特定の充放電パターンに対応する充電電圧値または充電電流値、あるいはその双方を特定し、充電回路１０６に設定して（ステップＳ４０６）終了する。
【００３２】
以下には、その特定の充放電パターンとその場合の充電の制御について詳細に説明する。
＜制御例１＞
図５は、本実施の形態１の制御例１に係る充電の制御手法を説明するための充放電による電池容量の推移と、充電回路１０６により蓄電池１０７に印加される充電電圧の推移を示す図である。図５の上段は、蓄電池１０７の電池容量の推移を示しており、下段は、充電回路１０６により蓄電池１０７に印加される充電電圧の推移を示している。
【００３３】
図５の下段において時刻Ｔ０〜Ｔ１にかけて充電電圧が増加していることにより充電が行われていることがわかる。また、図５の上段において、時刻Ｔ１〜Ｔ２にかけて電池容量が減少していることにより放電が行われていることがわかる。即ち、時刻Ｔ０〜Ｔ１が充電期間、時刻Ｔ１〜Ｔ２が放電期間、時刻Ｔ２〜Ｔ３が充電期間、…となっている。
図５に示すように、時刻Ｔ０〜Ｔ１にかけて充電電圧をＶ１として充電が実行される。その結果、満充電状態で電力がＷ１に達する。
【００３４】
そのあと、時刻Ｔ１〜Ｔ２にかけて蓄電池パック１００から接続された機器に対して放電が実行され、充電容量がＷ２まで落ちている。このとき、Ｗ１とＷ２の差分が、予め定めている閾値Ｖｔよりも低いものとする。
この時刻Ｔ０〜Ｔ２にかけて実行される充放電のパターンが所定回数（一例として、図５では５回）続いたとき、制御部１０９は、この蓄電池１０７には、あまり高い充電容量は必要ないと判断し、満充電状態での充電容量が低下するように、充電電圧をＶ２まで下げる制御を実行する。即ち、制御部１０９は、充電回路１０６に充電電圧値Ｖ２を設定する。
【００３５】
これによって、充電回路１０６により蓄電池１０７には、満充電状態で電池容量がＷ３までしかいかない充電が実行されることになる。図５の場合では、例え、満充電状態での電池容量がＷ３まで下がったとしても、電力の放電後の容量はＷ４になっており、十分に電力を残しているので、動作上、問題が発生する可能性は低い。
この制御例１により、満充電状態での電池容量は低下するものの、使用の上では、使用される電力量が元々少ないため、特に問題を発生することはない。また、充電電圧をＶ１からＶ２に下げることで蓄電池１０７の寿命の減りを抑制することができる。
＜制御例２＞
図６は、本実施の形態１の制御例２に係る充電の制御手法を説明するための充放電による電池容量の推移と、充電回路１０６により蓄電池１０７に印加される充電電圧の推移を示す図である。図６の上段は、蓄電池１０７の電池容量の推移を示しており、下段は、充電回路１０６により蓄電池１０７に印加される充電電圧の推移を示している。
【００３６】
図６の下段において時刻Ｔ０〜Ｔ１にかけて充電電圧が増加していることにより充電が行われていることがわかる。また、図６の上段において、時刻Ｔ２〜Ｔ３にかけて電池容量が減少していることにより放電が行われていることがわかる。また、図６の上段において、時刻Ｔ１〜Ｔ２にかけて電池容量の変化が見られないことから、放電が行われていないことがわかる。
【００３７】
したがって、図６においては、時刻Ｔ０〜Ｔ１が充電期間、時刻Ｔ２〜Ｔ３が放電期間、時刻Ｔ４〜Ｔ５が充電期間、…となっている。
図６に示すように、時刻Ｔ０〜Ｔ１にかけて充電電圧Ｖ１で充電が実行される。そして、充電が終了した時刻Ｔ１から一定以上の時間が経過して、時刻Ｔ２〜Ｔ３にかけて放電が実行されている。このように、充電が終了してから放電が開始するまでに、一定以上の時間が空くことが所定回数（一例として、図６では３回）以上連続する場合、蓄電池パック１００は充電時間を長くするように制御する。具体的には、制御部１０９は、充電に用いる充電電流の設定値を下げて充電回路１０６に設定する。充電電流値を下げることで、充電電圧Ｖ１に至るまでの時間が長くなり、その結果充電に要する時間が長くなる。ただ、低い充電電流で充電電圧を上げている間も充電は行われるため、充電電圧Ｖ１で充電が実行される時間が短縮される。即ち、蓄電池１０７が高い電圧値に晒される時間が短縮される。したがって、この制御例２により、制御部１０９は、蓄電池１０７の寿命の減りを抑制することができる。
【００３８】
また、充電電流値を低下させて充電時間を長くすると、蓄電池１０７の満充電時の電池容量を、充電電流値を低くする前よりも高くすることができる。図６の場合、充電電流値を低くする前の満充電状態での電池容量はＷ１であったが、充電電流値を低くした後は、満充電状態での電池容量はＷ３になっている。従って、充電と放電のタイミングにより実行されるこの制御例２は、特に、図６に示すように、放電のタイミングが充電が終了してから一定以上の時間が経過してから、放電における放電容量が大きい場合に、特に効果が大きい。
＜まとめ＞
蓄電池は、充電の際に、高い電圧値の充電電圧に長時間晒されるか否かでその寿命の長短が決まる。そのため、蓄電池パック１００が、制御例１のように、充電電圧を低く設定することで、蓄電池の寿命を長くすることができる。
【００３９】
また、制御例２のように、充電電流を低く設定した場合には、所望の充電電圧に至るまでに時間がかかる。そのため、蓄電池が高い充電電圧に晒される期間が短くなる。その結果、蓄電池の寿命を長くすることができる。
＜実施の形態２＞
上記実施の形態１においては、蓄電池パック１００が実行した充電と放電の履歴に基づいて、蓄電池パック１００の寿命の減りを抑制するための充電を実行することとした。しかしながら、蓄電池パック１００の寿命の減りを抑制する手法は、実施の形態１に示したものには限らない。実施の形態２においては、これ以外の手法について説明する。
【００４０】
本実施の形態２においては、蓄電池パック７００に接続された機器に応じて、充放電を制御し、各機器に適切な充電、放電を実行することで、蓄電池の寿命の減りを抑制する例を説明する。
＜構成＞
図７は、実施の形態２に係る蓄電池パック７００の外観を示す斜視図である。
【００４１】
図７に示すように、蓄電池パック７００は、スイッチ１０１、表示部１０２、端子部１１０に加え、取付部９０４を備える。
取付部９０４には、蓄電池パック７００を用いる器具に取り付けて支持するためのアタッチメントを装着する。図７の例では、取付部９０４には、アタッチメント７０１ａをネジ７０２を用いて取り付ける例を示している。図７に示すアタッチメント７０１ａの形状は一例であり蓄電池パック７００を用いる器具に応じて、その形状は異なってよい。
【００４２】
図８は、蓄電池パック７００を他の器具に設置した例を示すものであり、電動自転車８００に設置した例を示している。図８に示すように、蓄電池パック７００は、フレーム装置８０２に取り付けられ、蓄電池パック７００に取り付けられたアタッチメント７０１ａを支持具８０１で挟み込んで固定される。
フレーム装置８０２には、蓄電池パック７００の端子部１１０の各端子に対抗するように端子が設けられ、双方の端子が接触することで、蓄電池パック７００から電力の供給が行われる。
【００４３】
フレーム装置８０２は、電動自転車８００のモータ（図示せず）に蓄電池パック７００から供給された電力を送電し、モータを駆動させるための動力とする。また、フレーム装置８０２に電源コードを装着して、プラグを例えば家屋のコンセントに接続することで、蓄電池パック７００の充電を実行することもできる。
図９は、蓄電池パック７００の機能構成を示す機能ブロック図である。図９に示すように、蓄電池パック７００は、スイッチ１０１と、表示部１０２と、記憶部９０３と、取付部９０４と、通信部９０５と、充電回路１０６と、蓄電池１０７と、放電回路１０８と、制御部９０９と、端子部１１０とから構成される。
【００４４】
蓄電池パック７００は、蓄電池１０７の充放電に係る制御手法が、蓄電池パック１００と相違するものであり、ここでは、その制御手法についてのみ記載し、その他の構成については、蓄電池パック１００と共通するものとしてここでは割愛する。
記憶部９０３は、蓄電池パック７００が動作する上で必要とするプログラムやデータを記憶している。記憶部９０３は、取付部９０４に取り付けられたアタッチメントごと、もしくは、蓄電池パック７００に接続された機器ごとに実施する充電方法を定めたアタッチメント情報１０１０と、機器情報１０２０とを記憶している。アタッチメント情報１０１０と、機器情報１０２０との詳細については、後述する。
【００４５】
取付部９０４は、取り付けられたアタッチメントの内蔵されているチップから、当該チップに格納されているアタッチメントＩＤを取得し、制御部９０９に伝達する機能を有する。
通信部９０５は、端子部１１０を介して、蓄電池パック１００に、アタッチメントを介さずに接続された機器と通信を実行する機能を有し、接続された機器から、当該機器の機器ＩＤを取得して、制御部９０９に通知する機能を有する。
【００４６】
制御部９０９は、取付部９０４に取り付けられたアタッチメント、あるいは、通信部９０５から通知された接続された機器に応じた充放電を制御する機能を有する。具体的には、制御部９０９は、取付部９０５に取り付けられたアタッチメントＩＤまたは通信部９０５から通知された接続された機器についての機器ＩＤに対応する充放電パターンを記憶部９０３から読み出して、充放電を制御する。
＜データ＞
図１０（ａ）は、蓄電池パック７００が記憶するアタッチメント情報１０１０のデータ構成を示す概念図である。
【００４７】
アタッチメント情報１０１０は、蓄電池パック７００の取付部７０４に取り付けられたアタッチメントの種類に応じて定めた充放電パターンを定義した情報である。アタッチメント情報１０１０は、アタッチメントＩＤ１０１１と、充放電パターン１０１２が対応付けられた情報である。
アタッチメントＩＤ１０１１は、蓄電池パック７００の取付部９０４に取り付けるアタッチメントの種別を示す識別子である。
【００４８】
充放電パターン１０１２は、アタッチメントＩＤ１０１１に対応するアタッチメントが取付部９０４に取り付けられた場合に、制御部９０９が、充電回路１０６および放電回路１０８に対して設定する充電および放電についての設定値を示す情報である。充放電パターン１０１２は、充電回路１０６に設定する充電電圧値、充電電流値、充電期間、充電実行時間や放電回路１０８に設定する放電電圧値、放電期間、放電実行時間などの情報の全て、あるいは、その一部を含む。
【００４９】
制御部９０９は、取付部９０４にアタッチメントが取り付けられたことを検出した場合に、図１０（ａ）のアタッチメント情報１０１０を参照して、充放電の制御を実行する。
図１０（ａ）に示す充放電パターンの一具体例としては、例えば、アタッチメント７０１ａが蓄電池パック７００を電動自転車に取り付けるためのものである場合には、電動自転車を使用していないタイミングで実行される充電の充電電圧値として、４．１Ｖ、充電電流値として、４Ａ、充電時間として、午前０時、電動自転車を使用しているタイミングで、当該電動自転車のモータに供給する電力の放電電圧として２４Ｖという情報が含まれる。また、その他にも、例えば、アタッチメント７０１ｂが蓄電池パック７００をＰＣに取り付ける為のものである場合には、ＰＣを使用していないタイミングで実行される充電の充電電圧値として、４．２Ｖ、充電電流値として、２Ａ、ＰＣを使用しているタイミングで、当該ＰＣに供給する電力の放電電圧として７．２Ｖという情報が含まれる。
【００５０】
図１０（ｂ）は、蓄電池パック７００が記憶する機器情報１０２０のデータ構成を示す概念図である。
図１０（ｂ）に示すように、機器情報１０２０は、機器ＩＤ１０２１と、充放電パターン１０２２とが対応付けられた情報である。
機器ＩＤ１０２１は、蓄電池パック７００を用いる電気機器を識別するための識別子である。
【００５１】
充放電パターン１０２２は、機器ＩＤ１０２１に対応する機器が蓄電池パック７００に接続された場合に、制御部９０９が、充電回路１０６および放電回路１０８に対して設定する充電および放電についての設定値を示す情報である。充放電パターン１０２２は、充電回路１０６に設定する充電電圧値、充電電流値、充電期間、充電実行時間や、放電回路１０８に設定する放電電圧値、放電期間、放電実行時間などの情報の全て、あるいは、その一部を含む。
【００５２】
図１０（ｂ）に示す充放電パターンの一具体例としては、例えば、機器が蓄電池パック７００に対して、所望の電力を要求する機能を有する者である場合に、要求する電力よりも低い電力を放電することを示す充放電パターンを対応付けたものである。実際に機器で使用する電力は、利用できる最大値を要求する仕様になっていることが考えられ、必ず要求した電力全てを消費しないにも関わらず最大値を要求された場合、無駄な放電が発生していることになる。すると、蓄電池パック７００としては、電力が消費されることによって、充電が発生する回数が多くなるので、その分、寿命が短縮されることになる。したがって、機器が要求する電力よりも低い電力を供給するという充放電パターンを記憶しておくことで、蓄電池１０７の寿命の延命を図ることができる。
＜動作＞
図１１は、蓄電池パック７００の動作を示すフローチャートである。
【００５３】
蓄電池パック７００の取付部９０４は、アタッチメントの取付があるか否かを確認する（ステップＳ１１０１）。取付部９０４は、アタッチメントからアタッチメントＩＤを受け付けることで、アタッチメントの取り付けがあったことを確認する。
取付部９０４は、新たなアタッチメントの取り付けを確認した場合に（ステップＳ１１０１のＹＥＳ）、そのアタッチメントから受け付けたアタッチメントＩＤを制御部９０９に通知する。制御部９０９はアタッチメントＩＤを受け取ると、当該アタッチメントＩＤに対応する充放電パターンを記憶部１０３のアタッチメント情報を参照して取得する（ステップＳ１１０２）。
【００５４】
取付部９０４は、定期的にアタッチメントが取り外されたか否かを検出する（ステップＳ１１０３）。取付部９０４がアタッチメントの取り外しを確認した場合に（ステップＳ１１０３のＹＥＳ）、その旨を制御部９０９に通知し、充放電の制御を停止し（ステップＳ１１０３）、ステップＳ１１０１に戻る。
通信部９０５は、新たな機器の接続を、端子部１１０の電位の変化を検出して確認する（ステップＳ１１０４）。このとき、通信部９０５は、接続された機器の機器ＩＤを取得し、機器ＩＤを制御部９０９に通知する。また、接続される機器は、自身の機器ＩＤを保持し、この機器ＩＤを他の装置に通知する機能を有するものとする。機器ＩＤは、例えば、接続された機器固有の機体番号などであってもよいし、蓄電池パック７００が接続された機器に対して以前に接続されたときに割り振った識別子であってもよい。
【００５５】
制御部９０９は、機器ＩＤを通知されると機器情報を参照し、通知された機器ＩＤに対応する充放電パターンが機器情報にあるか否かを確認する（ステップＳ１１０５）。
対応する充放電パターンが機器情報にある場合には（ステップＳ１１０５のＹＥＳ）、制御部９０９は、その対応する充放電パターンを読み出して、読み出した銃砲伝パターンで示される充放電に係る設定値（充電電圧、充電電流、受電時間、放電電圧など）を、充電回路１０６や放電回路１０８に設定する（ステップＳ１１０６）。
【００５６】
通信部９０５は、定期的に機器が接続されているか否かを確認する（ステップＳ１１０７）。機器が取り外された場合には（ステップＳ１１０７のＹＥＳ）、制御部９０９は、充放電制御を停止し、ステップＳ１１０１に戻る。機器が取り外されない限りは（ステップＳ１１０７のＮＯ）、制御部９０９は、充放電制御を継続する。
機器ＩＤに対応する充放電パターンが機器情報になかった場合には（ステップＳ１１０５のＮＯ）、制御部９０９は、実施の形態１で示した充放電制御処理を実行する（ステップＳ１１０８）。
【００５７】
通信部９０５は、定期的に機器が接続されているか否かを確認する（ステップＳ１１０９）。機器が取り外された場合には（ステップＳ１１０９のＹＥＳ）、制御部９０９は、充放電制御を停止する。そして、制御部９０９は、そのときに充電回路１０６、放電回路１０８に設定されている充放電の設定値を、取り外された機器に対する充放電パターンとして、機器情報に追加し（ステップＳ１１１０）、ステップＳ１１０１に戻る。機器が取り外されない限りは（ステップＳ１１０９のＮＯ）、制御部９０９は、充放電制御を継続する。
＜まとめ＞
本実施の形態２に係る蓄電池パック７００は、蓄電池パック７００を利用する機器に応じて、充電や放電を制御することができる。蓄電池パック７００を利用する機器に応じて必要とする電力量や、充電、放電のタイミングは異なってくる。そのため、各機器に応じて適切に充電および放電を実行することで、蓄電池パック７００内蔵の蓄電池の寿命の減りを抑制することができる。
＜変形例＞
上記実施の形態に従って、本発明に係る蓄電池パックについて説明してきたが、本発明はこれに限られるものではない。以下、本発明の思想として含まれる各種変形例について説明する。
【００５８】
（１）上記実施の形態１において、制御部１０９が実行した充電の制御例は一例であり、検出する充放電のパターンと、検出された充放電のパターンに応じて実行する充電制御の組み合わせは、上記実施の形態１に示した第１の特定パターンや第２の特定パターンに限るものではなく、充電制御によって蓄電池１０７の寿命の減りを抑制することができるものであればこれ以外の手法を用いることとしてもよい。
【００５９】
例えば、制御部１０９が、充電を実行してから、所定時間以上経過してから、放電が実行され、当該放電による放電量が所定値以下の場合に、蓄電池の活性化を行う制御を行ってもよい。蓄電池の活性化とは、完全充電後に完全放電を行う、あるいは、完全放電後に、完全充電を行うことや、蓄電池の電池残量が所定値以下まで放電した後に電池残量が所定値以上になるまで充電を行う、あるいは、電池残量が所定置以上になるまで充電した後に電池残量が所定値以下になるまで放電を行うことをいう。
【００６０】
また、上記制御例１と制御例２との双方のパターンを同時に検出できた場合には、両方の充電制御を実行することとしてもよい。即ち、制御部１０９は、充電電圧値と、充電電流値との双方の設定値を低下させる制御を行ってもよい。
あるいは、制御部１０９は、ハイパワー機器の使用者が１回の使用容量を多く取らない場合には、放電電圧の下限を少し低くする制御を行ってもよい。即ち、制御部１０９は、接続された機器がハイパワー機器であるか否かを、接続された機器から要求される電力量が一定以上であるか否かに応じて判定し、肯定的な判定を行った場合に、充放電履歴情報３００を参照して、接続された機器に対する放電量が所定値以下であったときには、放電回路１０８に放電電圧の下限値を低下させる。こうすることでハイパワー機器に対して蓄電池パック１００から実行する放電について高出力での放電を長時間に渡って維持することができる。
【００６１】
（２）上記実施の形態１に示した表示部１０２は、インジケータ１０２に限るものではなく、蓄電池パックの状態をユーザに通知する機能を有するものであればよい。表示部１０２としては、例えば、小型の液晶パネルなどを用いることとしてもよい。
（３）上記実施の形態においては、蓄電池パックは、スイッチ１０１の押下を受け付けて起動または停止することとしたが、これはその限りではない。蓄電池パックをフレーム装置に装着することで、即ち、端子部１１０が他の端子と接触したことを検出することで、起動することとしてよく、当該接触が解除されることで、停止することとしてもよい。
【００６２】
（４）上記実施の形態２においては、蓄電池パック７００は、アタッチメントごとの充電パターンを予め記憶しておくこととした。しかし、これは蓄電池パック７００がアタッチメントを利用して充放電を制御できるようになっていれば、必ずしも予め記憶しておく必要はなく、例えば、アタッチメント内蔵のＩＣにアタッチメントＩＤだけでなく、当該アタッチメントを用いて接続される機器に対して実行する放電や、その場合の充電についての手法も記憶しておき、蓄電池パック７００の取付部９０４がこれを読み取って制御部９０９に伝達することで、充放電の制御を実行する構成としてもよい。
【００６３】
また、同様に、アタッチメントを用いずに接続された機器についても同様に、接続された機器が充放電パターンを記憶しており、蓄電池パック７００は、通信部９０５を介して機器が記憶している充放電パターンを取得して、制御部９０９は、機器から取得した充放電パターンに従って、充放電を制御することとしてもよい。
（５）上記実施の形態２においては、蓄電池パック７００は、取付部９０４がアタッチメント内蔵のＩＣから、そのＩＤを読み出して、取り付けられているアタッチメントを特定することとしたが、アタッチメントがどの種のアタッチメントであるのかを特定できるのであれば、これ以外の手法を用いてもよい。例えば、取付部９０４付近にセンサ、あるいは、カメラなどを備えて、取り付けられたアタッチメントの形状を検出することで、アタッチメントを特定することとしてもよい。また、取付部９０４は、内部にマイクロスイッチを有しており、アタッチメントの取付方法（図７のアタッチメント７０１ａの例では、ネジ７０２）によって、当該アタッチメントに格納されているアタッチメントＩＤを取得してもよい。なお、アタッチメントの取付方法は、図７に示したネジ７０２に限定されるものではなく、例えば、アタッチメントに凸部（凹部）、蓄電池パック７００に凹部（凸部）を設けて互いに係合する形で取り付けたり、蓄電池パック７００にアタッチメントを挟み込んで固定する固定部を備える構成にしたりして、取り付けることとしてもよい。
【００６４】
（６）上記実施の形態２においては、蓄電池パック７００は、初めて接続された機器に応じて、即座に適切な充放電が実行できない可能性がある。そこで、蓄電池パック７００は、更に、以下の機能を備えてもよい。
蓄電池パック７００は、制御部９０９が通信部９０５を介して、ＷＷＷなどのネットワークにアクセスできるときには、ネットワーク上に接続された機器についての充放電パターンがあるか否かを検索して、あった場合に、これを取得してもよい。そして、取得した充放電パターンで制御部９０９が充電および放電の制御を実行することとしてもよい。また、通信部９０５は、ユーザがＰＣやスマートフォンなどからネットワーク経由で行う操作によって、外部のネットワークと通信し、接続された機器の機器ＩＤを取得してもよい。
【００６５】
あるいは、接続された機器が、適切な充放電方法を記憶している場合には、当該機器から直接適切な充放電方法を取得して、制御部９０９が充電および放電の制御を実行することとしてもよい。
（７）上記実施の形態２においては特に記載していないが、蓄電池パック７００は、取付部９０４と、取り付けられたアタッチメントを介して、接続された機器に電力を供給する構造を備えていてもよい。
【００６６】
（８）上記実施の形態においては、詳細には記載していないが、放電回路１０８は直流電力を、端子部１１０を介して、接続された各機器に供給するものとし、充電回路１０６は、交流電力を受け付けて、直流電力に変換し、蓄電池１０７を充電するものとする。なお、充電回路１０６は、直流電力を供給されて、これをそのまま用いて蓄電池１０７を充電することとしてもよい。
【００６７】
（９）上記実施の形態で示した充放電に係る処理など（図４、図１１など参照）を蓄電池パックなどのプロセッサ、およびそのプロセッサに接続された各種回路に実行させるためのプログラムコードからなる制御プログラムを、記録媒体に記録すること、又は各種通信路などを介して流通させ頒布させることもできる。このような記録媒体には、ＩＣカード、ハードディスク、光ディスク、フレキシブルディスク、ＲＯＭなどがある。流通、頒布された制御プログラムはプロセッサに読み出され得るメモリなどに格納されることにより利用に供され、そのプロセッサがその制御プログラムを実行することにより、実施形態で示したような各種機能が実現されるようになる。
【００６８】
（１０）上記実施の形態で示した蓄電池パックの各機能部は、その機能を実行する回路として実現されてもよいし、１又は複数のプロセッサによりプログラムを実行することで実現されてもよい。また、上記実施の形態の逆潮監視装置は、ＩＣ（Integrated Circuit）、ＬＳＩ（Large Scale Integration）その他の集積回路のパッケージとして構成されるものとしてもよい。このパッケージは各種装置に組み込まれて利用に供され、これにより各種装置は、各実施形態で示したような各機能を実現するようになる。
【００６９】
なお、各機能ブロックは典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００７０】
（１１）上記実施の形態２において、記憶部９０３は、アタッチメントＩＤ１０１１や機器ＩＤ１０２１に対応付けて、実施の形態１の充放電履歴情報３００を記憶してもよい。これにより、取り付けられているアタッチメントや接続される機器ごとに、使用状況に基づいた充電制御を行うことができる。
（１２）上記実施の形態２において、制御部９０９は、アタッチメントＩＤ１０１１や機器ＩＤ１０２１を用いて、取付部９０４に取り付けられるアタッチメント７０１や接続される機器を認証し、認証する場合のみ、蓄電池パック７００を放電してもよい。ここで、認証とは、アタッチメントや機器が蓄電池パック７００を利用する正統性があるか否かを検証することであり、例えば、アタッチメントや接続された機器に電子証明書を保持させたり、パスワードの照合をさせたりすることによってこれを実現する。パスワードの入力はユーザが行ってもよいし、アタッチメントや接続された機器がセキュアメモリに保持しこれを送信する形式を採ってもよい。これにより、蓄電池パック７００の利用を予め使用を認められたアタッチメントや機器にのみ、蓄電池パック７００を使用することができ、予め使用が認められていないアタッチメントや機器には、蓄電池パック７００を使用させないことができる。
【００７１】
（１３）上記実施の形態１においては、第１の特定の充放電パターンを、充電と充電の間に行われる放電による放電容量が所定値以下であることが、複数の連続する充電間において所定回数続いた場合としたが、この所定回数は１回であってもよい。すなわち、制御部１０９は、最後に行った充電とその一回前に行った充電の間に行われた放電による放電容量が所定値以下であることを検出した場合に、充電電圧の設定値を一定値だけ下げる制御を行ってもよい。また、制御部１０９は、最後に充電を行ってから、次に行う予定の充電の直前までに行われた放電の放電容量が所定値以下であることを検出した場合に、充電電圧の設定値を一定値だけ下げる制御を行ってもよい。
【００７２】
同様に、上記実施の形態１においては、第２の充放電パターンを、充電が行われた後の、次の充電までに行われる放電について、当該放電が、充電が行われてから一定以上の時間が経過してから開始されることが、所定回数続いた場合としたが、この所定回数も１回であってもよい。すなわち、制御部１０９は、最後に行った充電とその一回前に行った充電の間に行われた放電について、当該放電が一回前の充電が行われてから一定以上の時間が経過してから開始されていることを検出した場合に、充電電流の設定値を一定値だけ下げる制御を行ってもよい。また、制御部１０９は、最後に充電を行ってから、次に行う予定の充電の直前までに行われた放電が一回前の充電が行われてから一定以上の時間が経過してから開始されていることを検出した場合に、充電電流の設定値を一定値だけ下げる制御を行ってもよい。
【００７３】
また、上記実施の形態１において、上述の第１の特定の充放電パターンと２の特定の充放電パターンとが同時に生じている場合のみ、制御部１０９は、充電電流の設定値を一定値だけ下げるように充電回路１０６に設定してもよい。
また、制御部１０９は、直接蓄電池１０７を充放電させてもよい。即ち、充電回路１０６や放電回路１０８を介さずに、蓄電池１０７の充放電制御を実行することとしてもよい。この場合には、例えば、図２の機能図でいえば、蓄電池パック１００は、蓄電池１０７と端子部１１０とを接続する経路を備えることになる。
【００７４】
（１４）上記実施の形態１、２、および各種変形例を適宜組み合わせてもよい。
（１５）上記実施の形態２においては、蓄電池パック７００を装着する電気機器として、電気自転車を例に説明したが、これは電気自転車に限るものではない。蓄電池パック７００を装着する電気機器は、電池パック７００の端子部１１０と対向して接続する端子を備えたもの、乃至は、端子部１１０に対向して接続する端子を有するフレーム装置（一例として図８のフレーム装置８０２）と接続できるものであって、接続した端子を介して電池パック７００からの電力の供給を受け、当該電力を受けて動作する回路やモータなどを備えていればどのような電気機器であってもよい。電気機器には、例えば、電気自動車、冷蔵庫、ＰＣ、録画再生装置、掃除機、照明装置などがある。
＜補足＞
本発明に係る蓄電池パックの一実施形態とその効果について記載する。
【００７５】
（ａ）本発明に係る蓄電池パックは、二次電池（１０７）と、前記二次電池の充電または放電の態様に応じて、前記二次電池を充電または放電する制御手段（１０９、９０９）とを備えることを特徴とする。
この構成によれば、蓄電池パックは、充電または放電の態様に応じて、二次電池の充電または放電を制御できることから、二次電池の劣化を抑制することができる。
【００７６】
例えば、放電の態様として、実行される放電が少ない場合には、二次電池の電池容量としては大きいものが必要ないため、充電電圧を低下させて、万充電時の電池容量を低下させる制御を実行できる。充電電圧を低下させることで、二次電池の劣化を抑制できる。
あるいは、例えば、放電の態様として、蓄電池パックに特定の器具を取り付けての放電を蓄電池パックが実行する場合には、蓄電池パックが電力を供給する先が特定できるため、その供給先に適切な放電や充電を制御できるので、二次電池の寿命の劣化を抑制できる。
【００７７】
（ｂ）上記（ａ）に係る蓄電池パックにおいて、前記蓄電池パックは、更に、前記二次電池の充電と放電の履歴を示す充放電履歴を記憶する記憶手段を備え、前記制御手段は、前記放電の態様を示す前記充放電履歴を用いて前記二次電池に対する充電を制御することとしてもよい。
この構成によれば、蓄電池パックは、蓄電池パックが実行した充電と放電の履歴から、適切な充電方法を特定し、充電を制御することができる。したがって、二次電池の寿命の減りを抑制できる。
【００７８】
（ｃ）上記（ｂ）に係る蓄電池パックにおいて、前記充放電履歴が、繰り返し充放電が実行されていることを示している場合であって、充電と充電の間の放電による放電量が所定値以下である放電状態が、所定回数連続していることを示すときには、前記制御手段は、充電電圧を低下させて前記二次電池を充電することとしてもよい。
この構成によれば、蓄電池パックは、充電の際の充電電圧値を低下させる制御を実行するので、二次電池が高い充電電圧に晒される時間を少なくすることができ、その結果二次電池の寿命の減りを抑制することができる。
【００７９】
（ｄ）上記（ｂ）または（ｃ）に係る蓄電池パックにおいて、前記充放電履歴が、繰り返し充放電が実行されていることを示している場合であって、充電と充電の間の最初の放電が、先の充電が終了してから所定時間以上経過してから実行される放電状態が、所定回数以上連続していることを示すときには、前記制御部は、充電時間を長くして前記二次電池を充電することとしてもよい。
【００８０】
この構成によれば、蓄電池パックは、充電の際の充電時間を長くする制御を実行する。長い時間をかけて充電を実行できるということは、充電電圧を低くして充電を実行できることになり、その結果、二次電池の寿命の減りを抑制することができる。
（ｅ）上記（ｄ）に係る蓄電池パックにおいて、前記制御手段は、充電電流値を低下させることで、前記二次電池の充電時間を長くすることとしてもよい。
【００８１】
この構成によれば、蓄電池パックは、充電の際の充電電流値を低下させる制御を実行するので、所望の充電電圧値に至るまでの時間が長くなる。充電電圧値を上げている間も充電は実行されるため、その結果、設定されている充電電圧値を二次電池に印加する時間が短縮される。したがって、二次電池の寿命の減りを抑制することができる。
（ｆ）上記（ｄ）または（ｅ）に係る蓄電池パックにおいて、前記制御手段は、前記充電と充電の間の放電の放電量が所定値以上の場合にのみ、充電時間を長くして前記二次電池を充電することとしてもよい。
【００８２】
この構成によれば、蓄電池パックは、更に、充電後の放電が充電から一定時間経過してからであって、一定以上の電力量の放電を実行する場合に、充電時間を長くする制御を実行するので、充電において、少ない容量を充電する場合に比して、充放電の効率がよくなる。
（ｇ）上記（ｄ）〜（ｆ）に係る蓄電池パックにおいて、前記制御手段は、前記充電と充電の間の放電の放電量が所定値以下の場合には、前記二次電池の活性化を行うように制御することとしてもよい。
【００８３】
この構成によれば、蓄電池パックは、放電量が少なく、充電から一定時間経してから放電を実行している場合に、二次電池の活性化を行うことで、二次電池の劣化を抑制することができる。
（ｈ）上記（ａ）に係る蓄電池パックにおいて、前記蓄電池パックは、更に、前記蓄電池パックに接続された機器を検出する検出手段と、前記蓄電池パックに接続される機器ごとの充電情報を記憶する記憶手段とを備え、前記制御手段は、前記検出手段が検出した前記接続された機器に対応する充電情報を前記記憶手段から読み出し、当該充電情報を用いて前記二次電池を充電することとしてもよい。
【００８４】
この構成によれば、蓄電池パックは、更に、接続された機器に応じて、その機器に対して、二次電池の寿命を考慮した充電の制御を実行できる。
（ｉ）上記（ｈ）に係る蓄電池パックにおいて、前記蓄電池パックに接続される機器は、前記蓄電池パックを外部機器に接続するための接続部材であり、
前記蓄電池パックは、更に、前記接続部材を取り付けるための取付手段を備え、前記検出手段は、前記取付手段に取り付けられた接続部材を検出することとしてもよい。
【００８５】
この構成によれば、蓄電池パックは、外部機器を接続するための接続部材を取り付けることができる。そして、接続部材は、外部機器を接続するためのものであることから、蓄電池パックは、外部機器に応じた充電や放電の制御を実行できる。
（ｊ）上記（ｈ）に係る蓄電池パックにおいて、前記蓄電池パックは、更に、前記接続された機器と通信を実行する通信手段を備え、前記検出手段は、前記通信手段が前記接続された機器と通信を実行することにより、前記接続された機器を検出することとしてもよい。
【００８６】
この構成によれば、蓄電池パックは、接続された機器と通信を行うことで、接続された機器がどのような機器であるかを検出でき、適切に充電の制御を実行できる。
（ｋ）上記（ｈ）〜（ｊ）に係る蓄電池パックにおいて、前記充電情報は、接続される機器を識別するための識別情報と、前記接続される機器ごとの充放電履歴とを対応付けた情報であり、前記検出手段は、前記接続される機器の前記識別情報を検出し、前記制御手段は、前記検出手段が検出した前記識別情報に対応する充放電履歴を用いて前記二次電池を充電することとしてもよい。
【００８７】
この構成によれば、蓄電池パックは、取り付けられた接続部材を混同することなく、適切に二次電池の充電を制御することができる。
（ｌ）上記（ｈ）〜（ｊ）に係る蓄電池パックにおいて、前記充電情報は、接続される機器を識別するための識別情報と、前記接続される機器ごとの充放電履歴とを対応付けた情報であり、前記検出手段は、前記接続される機器の前記識別情報を検出し、前記制御手段は、前記検出手段が検出した前記識別情報に対応する充放電履歴を用いて前記二次電池を充電することとしてもよい。
【００８８】
この構成によれば、蓄電池パックは、これまでに機器が蓄電池パックに接続されたときに行った充放電の制御に基づいて、再度機器が接続された場合の充放電の制御を行うことができるので、過去の実績に基づく充放電を行うことになり、その結果適切な充放電を行え、二次電池の劣化を抑制することができる。
（ｍ）上記（ａ）に係る蓄電池パックにおいて、前記蓄電池パックは、更に、
前記蓄電池パックに接続された機器を検出する検出手段と、前記蓄電池パックに接続される機器ごとの放電情報を記憶する記憶手段とを備え、前記制御手段は、前記検出手段が検出した前記接続された機器に対応する放電情報を前記記憶手段から読み出し、当該放電情報を用いて前記二次電池を放電することとしてもよい。
【００８９】
この構成によれば、蓄電池パックは、接続された機器に応じて適切な放電を行うことができ、その結果、二次電池の寿命の減りを抑制することができる。
（ｎ）上記（ｍ）に係る蓄電池パックにおいて、前記蓄電池パックに接続される機器は、前記蓄電池パックを外部機器に接続するための接続部材であり、
前記蓄電池パックは、更に、前記接続部材を取り付けるための取付手段を備え、前記検出手段は、前記取付手段に取り付けられた接続部材を検出することとしてもよい。
【００９０】
この構成によれば、蓄電池パックは、外部機器を接続するための接続部材を取り付けることができる。そして、接続部材は、外部機器を接続するためのものであることから、蓄電池パックは、外部機器に応じた放電の制御を実行できる。
（ｏ）上記（ｍ）に係る蓄電池パックにおいて、前記蓄電池パックは、更に、前記接続された機器と通信を実行する通信手段を備え、前記検出手段は、前記通信手段が前記接続された機器と通信を実行することにより、前記接続された機器を検出することとしてもよい。
【００９１】
この構成によれば、蓄電池パックは、接続された機器と通信を行うことで、接続された機器がどのような機器であるかを検出でき、適切に放電の制御を実行できる。
（ｐ）上記（ｍ）〜（ｏ）に係る蓄電池パックにおいて、前記蓄電池パックは、更に、前記接続された機器から当該機器が所望する電力を示す電力要求を受け付ける要求受付手段を備え、前記制御手段は、前記要求で示される電力よりも低い電力で、前記二次電池を放電することとしてもよい。
【００９２】
この構成によれば、蓄電池パックは、接続された機器が要求してきた電力よりも低い電力を供給するので、その分だけ、電池容量の減りを抑えることができ、その結果、充電を実行しなければならない単位時間当たりの回数を抑制できるので、その結果、二次電池の劣化を抑制することができる。
（ｑ）上記（ｈ）または（ｌ）に係る蓄電池パックにおいて、前記検出手段は、前記接続される機器の識別情報を取得して接続される機器の検出を行うものであり、前記蓄電池パックは、更に、前記識別情報を用いて前記接続される機器を認証する認証手段を備え、前記制御手段は、前記認証手段が前記接続される機器の認証に成功した場合に限り、前記二次電池を充電または放電することとしてもよい。
【００９３】
この構成により、蓄電池パックは認証により正統性があると認定された機器に対してのみ放電、または、当該機器からの充電を実行するので、蓄電池パックの運用をより適切に行えることになるので、二次電池の劣化を抑制することができる。
【産業上の利用可能性】
【００９４】
本発明に係る蓄電池パックは、蓄電池パックに内蔵される二次電池の劣化を抑制しつつ、様々な電子機器への電力供給源として活用することができる。
【符号の説明】
【００９５】
１００、７００  蓄電池パック
１０１  スイッチ
１０２  表示部
１０２ａ、１０２ｂ、１０２ｃ、１０２ｄ、１０２ｅ  インジケータ
１０３、９０３  記憶部
１０６  充電回路
１０７  蓄電池
１０８  放電回路
１０９、９０９  制御部
７０１ａ  アタッチメント
８０１  支持具
８０２  フレーム装置
９０４  取付部
９０５  通信部
【図１】
2014193081.tif 000003
【図２】
2014193081.tif 000004
【図３】
2014193081.tif 000005
【図４】
2014193081.tif 000006
【図５】
2014193081.tif 000007
【図６】
2014193081.tif 000008
【図７】
2014193081.tif 000009
【図８】
2014193081.tif 000010
【図９】
2014193081.tif 000011
【図１０】
2014193081.tif 000012
【図１１】
2014193081.tif 000013